(57)【要約】      （修正有）【課題】好適な財務情報システム、方法、およびソフトウェアを提供する。【解決手段】財務データをクライアント機器へ提供することであって、該財務データのうちの少なくとも一部分が１つ以上の対話式制御機構に関連する、ことと、該対話式制御機構のうちの少なくとも１つとのユーザの対話に応答して、通信ウィンドウを開くことであって、該通信ウィンドウは、該財務データのうちの一部分を自動的に含む、こととを包含する、方法。【選択図】図１
2010061680.tif 000002
【特許請求の範囲】
【請求項１】
本明細書に記載の方法。
【発明の詳細な説明】
【技術分野】
【０００１】
（著作権表示および許可）
本特許文献の一部分以上が著作権保護の対象となる題材を含んでいる。Ｐａｔｅｎｔ  ａｎｄ  Ｔｒａｄｅｍａｒｋ  Ｏｆｆｉｃｅのファイルまたは記録にもあるように、著作権の所有者は、本特許文献または特許開示の何人による複製についても意義はない。ただし、それ以外の場合においては、いかなる著作権をも全て保有するものとする。以下の表示は、本文献に当てはまる。Ｃｏｐｙｒｉｇｈｔ（Ｃ）２００３，Ｔｈｏｍｓｏｎ  Ｃｏｒｐｏｒａｔｉｏｎ。
【０００２】
（関連出願）
本出願は、２００３年１１月２１日に提出された米国仮特許出願第６０／５２４，２８８号、および２００４年１月３０日に提出された米国特許出願第１０／７６８，５９８号の優先権を主張する。両出願を、本明細書中に援用する。
【０００３】
（技術分野）
本発明は、オンラインデータシステムおよびインスタントメッセージングシステムに関し、特に、財務サービス産業のコンテクストでのシステムに関する。
【背景技術】
【０００４】
１９９０年代は、家庭・ビジネスへのコンピュータテクノロジーが繁栄した年代であった。この１９９０年代において、コンピュータは非常に歓迎されたインターネットの成長に活気付けられ、ワードプロセッシングおよび簿記等の仕事を容易にするものから、日常の通信ツールとなり、電話、テレビ等の一般性に素早く近づいている。その結果、仮想的にはパブリックライフ、プライベートライフ、商業ライフのあらゆる分野は何らかの形で今日のコンピュータテクノロジーの力と範囲とによって影響を受けてきた。
【０００５】
財務サービス産業は、たとえば、近年では、オンラインでの株、公債、商品の取引を可能にする、インターネットベースの取引プラットフォームの出現のみでなく、リストに挙げられた「関心の表示」に基づいてブローカーが有価証券の売主と買主とを結びつけることを可能にするオンラインリスティングセンターの出現をも見た。このようなオンラインセンターの発展性のある例は、Ｓｔａｎｆｏｒｄ、ＣｏｎｎｅｔｉｃｕｔのＴｈｏｍｓｏｎ  ＣｏｒｐｏｒａｔｉｏｎのＡｕｔｅｘＴＭ大口取引サービスである。このサービスは、投資信託会社および他の大口取引業者に対して、安全かつ便利な、特定の株またはその他の有価証券商品を有価証券取引業者のグループへ購入または売却することにおける希望または関心を同報通信するための手段を提供する。オンラインリスト中のこれらの指数を見ている取引業者は、投資信託会社における電話、ファックス、またはＥメールでの接触により応答して、これらの投資信託会社と交渉を開始し、最終的に取引を完了することができる。
【０００６】
さらに最近では、このようなサービスのユーザは、所有者インスタントメッセージング（ＩＭ）システムを利用することを開始した。これは、ユーザがＩＭ可能なワークステーション、ラップトップ型コンピュータ、携帯電話、またはポケットベルを装備したその他のユーザとインターネットを介して瞬時にテキストメッセージを交換することを可能にする。利用可能な場合、インスタントメッセージングは、電話、ファックス、Ｅメールまでも、その他の通信形式に比べ、取引業者に対して有意な時間を節約することができる。
【０００７】
しかしながら、本発明者は、オンライン取引またはその他の市場関連の通信を容易にするために用いられるＩＭ機能は、これらの通信を運ぶ財務情報とは独立的に（またはコンテクスト外）アクセスされ、通信を開始および完了するためには多数のステップをユーザに強要するということを認識する。たとえば、ＡｕｔｅｘＴＭデータウィンドウ内にある関心の表示等の財務データをモニタ上で見る場合、関連する取引の相手へインスタントメッセージを送信しようとしているユーザは、キーボード、マウス、またはその他のグラフィカルポインタを用いてＡｕｔｅｘＴＭウィンドウ外へ出てＩＭプログラム（またはアプリケーション）へ切り替え、自分の仲間リストを見る。仲間リストは、インスタントメッセージングを利用する連絡の個人的なアドレス帳であり、リストに挙げられた仲間の中に取引相手が存在するか否か、また存在する場合にはその相手がインスタントメッセージングにオンラインであり利用可能である（すなわち存在する）か否かを、ユーザが見ることを可能にする。
【０００８】
取引相手が存在する場合、一般的に、ユーザはその相手と通信するために、マウスを用いてＩＭアプリケーションがＩＭウィンドウを開くように要求する。ユーザは、次いでＡｕｔｅｘＴＭウィンドウへ切り替え、表示された関心の表示からテキストを選択しコピーする。そのテキストは次いでＩＭウィンドウにペーストされる。次いで、承諾またはカウンターオファー等、他の任意の所望のテキストをＩＭウィンドウにタイピングした後、ユーザはボタンをクリックして、取引相手が使用しているＩＭ可能な機器へメッセージを送信する。
【０００９】
不都合にも、ユーザのこの一連の行為は、時間を要するのみでなく、取引の機会を逸する結果にもなり得る。したがって、本発明者は、他の通信形式と同様に、インスタントメッセージングへアクセスしこれを利用するより良い方法の必要性を認識した。
【発明の概要】
【課題を解決するための手段】
【００１０】
この限定および／またはその他の限定に取り組むために、本発明者は、存在表示等の通信機能を財務データ画面に統合するシステム、方法、インタフェース、およびソフトウェアを想到した。１つの例示的な財務情報システムは、インターネットを介して契約しているユーザへ、株、公債、商品または金融派生商品への関心の表示を提供する。表示のうちの１つ以上は、存在インジケータと論理的に関連づけられている。存在インジケータは、その表示に関連する取引相手が現在インスタントメッセージングを介して通信可能であるか否かをユーザに伝える。
【００１１】
一部の実施形態は、その他のタイプのデータへ統合された存在表示という概念を、複数のインスタントメッセージングシステムおよび／または、存在検出を提供するその他のタイプの通信システムへと拡張する。さらに、一部の実施形態は、ユーザが財務データウィンドウのコンテクストからインスタントメッセージングウィンドウを開くことを可能にする。開かれたウィンドウは、財務データウィンドウに基づく所定のインスタントメッセージングアドレスおよびテキストを含む。
【００１２】
最後に、これらの実施形態または開示されているその他の実施形態のうちの１つ以上が、財務サービス産業上の財務取引相手および他の相手に対してのみでなく、高速の通信または便利な通信が所望されている任意のプライベートな領域、パブリックな領域、商業の領域の者に対して、オンラインの対話における向上した効率と便利性とを約束する。
（項目１）
財務データをクライアント機器へ提供することであって、該財務データのうちの少なくとも一部分が１つ以上の対話式制御機構に関連する、ことと、
該対話式制御機構のうちの少なくとも１つとのユーザの対話に応答して、通信ウィンドウを開くことであって、該通信ウィンドウは、該財務データのうちの一部分を自動的に含む、ことと
を包含する、方法。
（項目２）
前記ウィンドウが、前記財務データに関連する人物のためのインスタントメッセージング識別子を自動的に含む、項目１に記載の方法。
（項目３）
前記財務データが、経済商品と将来の取引のエンティティまたはエージェントとを識別するデータを含む、項目１に記載の方法。
（項目４）
前記財務データを提供することが、該財務データのうち、該財務データに関するエンティティまたはエージェントが対話式の通信のために現在利用可能であるか否かを示す存在インジケータに関連する、少なくとも一部分を表示することを包含する、項目１に記載の方法。
（項目５）
前記１つの制御機構とのユーザの対話に応答して通信ウィンドウを開くことが、アプリケーションプログラムインタフェースであって、前記クライアント機器内の２つ以上のインスタントメッセージングアプリケーションのうちの少なくとも１つ、あるいは該クライアント機器内のＥメールアプリケーションおよび音声通信アプリケーションのうちの少なくとも１つへ財務データのうちの一部分以上を選択的に通信する、アプリケーションプログラムインタフェースへ、該財務データのうちの一部分以上を通信することを包含する、項目１に記載の方法。
（項目６）
少なくとも１つの財務データセットをクライアント機器のウィンドウへ提供することであって、該財務データセットは少なくとも１つのエンティティに関連する、ことと、
該１つの財務データセットに関連する該エンティティが対話式の通信のために現在利用可能であるか否かを示すために、該１つの財務データセットと関連して存在インジケータを表示することと
を包含する、方法。
（項目７）
前記１つの財務データセットを、少なくとも１つ以上の対話式制御機構と関連づけることと、
該対話式制御機構のうちの少なくとも１つとのユーザの対話に応答して通信アプリケーション用の通信ウィンドウを開くことであって、該通信ウィンドウは、該財務データセットのうちの一部分と前記エンティティの識別子とを自動的に含むテキストフィールドを有する、ことと
をさらに包含する、項目６に記載の方法。
（項目８）
前記対話式制御機構のうちの少なくとも１つとのユーザの対話に対する応答が、２つ以上のインスタントメッセージングウィンドウを開くことを包含し、該ウィンドウのそれぞれが、個々のインスタントメッセージングシステムに関連するインスタントメッセージング識別子を自動的に含む、項目６に記載の方法。
（項目９）
前記財務データが、経済商品と予定の取引のエンティティまたはエージェントとを識別するデータを含む、項目６に記載の方法。
（項目１０）
前記１つの財務データセットを提供することが、該財務データセットをブラウザへ提供することを包含する、項目６に記載の方法。
（項目１１）
前記１つの対話式制御機構とのユーザの対話に応答して前記通信ウィンドウを開くことが、前記財務データのうちの１つ以上の部分をアプリケーションプログラムインタフェースに通信することを包含し、該アプリケーションプログラムインタフェースが、前記クライアント機器内の２つ以上の通信アプリケーションのうちの少なくとも１つへ、該財務データのうちの１つ以上の部分を選択的に通信する、項目６に記載の方法。
（項目１２）
１つ以上の経済商品を購入することに関心のある１つ以上の予定の購入のエンティティと、１つ以上の経済商品を売却することに関心のある１つ以上の予定の売却のエンティティとの統合リストを含むデータベースと、
第１の通信機器を介して該データベースへアクセスするエンティティに応答して、１つ以上の経済商品に関連する前取引データを該第１の通信機器へ提供するための手段であって、各経済商品に対する該前取引データが、予定の少なくとも１つの購入または売却のエンティティを識別する、手段と、
該データベースへアクセスするエンティティに応答して、通信ネットワーク内または通信ネットワーク上に存在する予定の購入または売却のエンティティに関連する第２の通信機器の存在の表示を、該第１の通信機器へ提供するための手段と
を備える、システム。
（項目１３）
前記存在の表示は、前記１つの予定の購入または売却のエンティティに関連するＩＰアドレスに前記第２の通信機器が関連しているか否かを示す、項目１２に記載のシステム。
（項目１４）
前記第２の通信機器の存在の表示を前記第１の通信機器へ提供するための前記手段が、前記１つの予定の購入または売却のエンティティに関連する少なくとも１つのインスタントメッセージングシステムをサーバへ結合する手段を含み、該サーバが、購入または売却のエンティティあるいは該１つ以上の購入または売却のエンティティに対する別名のうちの１つ以上を、対応するＩＰアドレスと関連づけるデータを含む、項目１２に記載のシステム。
（項目１５）
前記第２の通信機器の存在の表示を前記第１の通信機器へ提供するための前記手段が、２つ以上のインスタントメッセージングサービスプロバイダから存在データを引き出すための手段を含む、項目１４に記載のシステム。
（項目１６）
テキストメッセージングを介して、前記１つの将来の購入または売却のエンティティに関する前記第２の機器と通信するためのグラフィカルユーザインタフェースをさらに備え、該インタフェースは、
財務コンテンツまたは所定のテキストストリングをＩＭテキストウィンドウの中へドラッグアンドドロップするための手段と、
１つ以上の所定のテキストストリングをＩＭテキストウィンドウに追加するためのメニュー手段と、
各ＩＭ通信システム内の存在に少なくとも部分的に基づく該将来の購入または売却のエンティティの前記データベースからソートされた表示を呼び出すための手段と
のうちの１つ以上を備える、項目１２に記載のシステム。
（項目１７）
グラフィカルユーザインタフェースのうちの少なくとも一部分を定義する機械可読媒体であって、該媒体は、
財務データを該グラフィカルユーザインタフェースに与えるための命令と、
該１つの財務データセットに関連する存在インジケータを提供するための命令であって、該存在インジケータは、与えられた該財務データに関連するエンティティが対話式の通信のために現在利用可能であるか否かを示す、命令と
を含む、媒体。
（項目１８）
前記財務データが、特定の企業に対する経済商品に関する関心の表示を含む、項目１７に記載の機械可読媒体。
（項目１９）
前記財務データのうちの少なくとも一部分に関連する一つ以上の対話式制御機構をさらに備え、該対話式制御機構はインスタントメッセージングアプリケーション用のインスタントメッセージングウィンドウを開くことを選択でき、該インスタントメッセージングウィンドウは、該財務データのうちの一部分と、前記エンティティのためのインスタントメッセージング識別子とを自動的に含むテキストフィールドを有する、項目１７に記載の機械可読媒体。
（項目２０）
前記対話式制御機構のうちの１つが、２つ以上のインスタントメッセージングウィンドウを開くことを選択でき、該ウィンドウのそれぞれは、個々のインスタントメッセージングシステムに関連するインスタントメッセージング識別子を自動的に含む、項目１９に記載の機械可読媒体。
（項目２１）
前記存在インジケータがインスタントメッセージングサービスのためのアイコンを含む、項目１７に記載の機械可読媒体。
【図面の簡単な説明】
【００１３】
【図１】図１は、本発明の１つ以上の実施形態に対応する例示的な財務情報システム１００のブロック図である。
【図２】図２は、財務情報システムを操作する１つ以上の例示的な方法を示し、本発明の１つ以上の実施形態に対応する、フローチャート２００である。
【図３】図３は、本発明の１つ以上の実施形態に対応する例示的なグラフィカルユーザインタフェース３００のファクシミリである。
【図４】図４は、本発明の１つ以上の実施形態に対応する例示的なグラフィカルユーザインタフェース３００’のファクシミリである。
【発明を実施するための形態】
【００１４】
図および添付の特許請求の範囲を組み入れる下記説明は、一つ以上の発明の一つ以上の例示的な実施形態を説明および／または示す。本発明を例示および教示するだけであり、限定されない、これらの実施形態は、当業者が本発明を生成および使用するのに十分詳細に示され、説明されている。従って、一つ以上の発明を不明瞭にするのを回避するための適切な箇所において、説明は、当業者にとって周知の特定の情報を省略し得る。
【００１５】
（例示的な財務情報システム）
図１は、本発明の一つ以上の教示を組み入れる例示的な財務情報システム１００を示す。電子商取引の任意の形に広く適用可能なシステム１００は、財務データプロバイダ１１０、統合財務データベース１２０、通信サーバ１３０および１４０、ならびに一つ以上のアクセス装置１５０を含む。
【００１６】
より詳細には、財務または経済データの様々な形式を一つ以上の通信リンクまたはチャネルを介して加入者に提供する、財務データプロバイダ１１０は、財務データプロバイダ１１２、１１４、および１１６を含む。例示的な実施形態において、プロバイダ１１２、１１４、および１１６は、共通の財務データプロバイダの付属物または区分である。しかしながら、他の実施形態において、一つ以上のプロバイダは、一つ以上の他のプロバイダから独立している。
【００１７】
より詳細には、各々のプロバイダ１１２、１１４、および１１４は、一つ以上の財務データセットを格納および分配し、その財務データセットの一般的な代表はＦＤ１、ＦＤ２、およびＦＤＮである。データセットＦＤ１、ＦＤ２、およびＦＤＮは、接触またはソース識別データＣ１、Ｃ２、およびＣＮとそれぞれロジカルに関連し、または含む。データＣ１、Ｃ２、およびＣＮは、それぞれのデータセットＦＤ１、ＦＤ２、およびＦＤＮを生成、著作、所有、またはそうでない場合、それらに関連する、一つ以上のソース固体、グループ、エンティティ、または組織を識別する。ソース識別データは、一つ以上の氏名、オンラインエイリアス、エンティティ所属、エンティティアドレス、ネットワークアドレス、電話番号、ページャ番号、およびインスタントメッセージングエイリアスまたはユーザ識別子を含む。
【００１８】
例示的な実施形態において、プロバイダ１１２からのデータセットＦＤ１のような一つ以上の財務データセットは、個々の投資家、個々のブローカ、ブローカ商社（ｂｒｏｋｅｒａｇｅ  ｆｉｒｍ）、リテール銀行、投資銀行、投資信託オペレータ（ｍｕｔｕａｌ−ｆｕｎｄ  ｏｐｅｒａｔｏｒ）、ベンチャーキャピタル等のような一つ以上の特定または未特定の経済的取引エンティティまたは団体から、株、債券、商品、オプション、デリバティブ等のような一つ以上の経済または財務手段（ｉｎｓｔｒｕｍｅｎｔ）を購入、販売、またはそうでない場合、それらにおいてトランス作動することについての、一つ以上の関心事の表示（ＩＯＩ）を含む（図３は、表示領域３２２、３２４、および３２６における様々な例示的な関心事の表示を示す）。他の実施形態は、以前のトレード（ｐｒｅ−ｔｒａｄｅ）または商用データの他の形を含む。例えば、一部の実施形態は、消費財またはサービスのような他の形の資産もしくは不動産の購入または販売に関するリストを含み得る。
【００１９】
同様に、財務データプロバイダ１１４の一つ以上のデータセット、例えば、データセットＦＤ２は、マーケットのニュースおよび／または分析、マーケットセクタ、産業、会社、特定の経済手段（ｅｃｏｎｏｍｉｃ  ｉｎｓｔｒｕｍｅｎｔ）等を含む。更に、財務データプロバイダ１１６の一つ以上のデータセット、例えば、データセットＦＤＮは、特定の経済手段等に関する現在のおよび／または従来のマーケットパフォーマンスデータを含む。
【００２０】
一部の実施形態において、一つ以上のデータセットＦＤ１、ＦＤ２、およびＦＤＮは、全体的または一部のアクセスもしくは分配制限、時間的制限、アーカイブ命令等のようなデータ扱いにおける選択または制限にロジカルに関連し、または含む。例えば、一実施形態において、財務データプロバイダ（またはそのようなプロバイダにデータを提出するユーザ）は、ソース識別情報の全てまたはその一部のようなデータの一つ以上の部分を暗号化することによって、アクセスを制御または制限できる。この実施形態の変形形態は、誰または何が存在にアクセスできるか、存在はいつアクセスされ得るか、どのような種類の存在がアクセスされ得るか（活動状態、アイドル状態、または非活動状態）、およびどのような種類の装置または装置の属性が任意のアクセス可能な存在情報に含まれているかを制御することによって、関連する存在情報へのアクセスを制限または統制し得る。
【００２１】
プロバイダ１１２〜１１６は、財務データプロバイダ１２０を集合（ａｇｇｒｅｇａｔｅ）させるために、例えば、インターネットプロトコル（ＩＰ）ネットワークまたは永久的な、一時的な、専用の、共有のワイヤレスまたはワイヤライン通信リンクの他の形を介して、結合され、または結合可能である。
【００２２】
統合財務データプロバイダ１２０は、統合データベース１２１およびサーバ１２２を含む。データベース１２１は、データを財務データプロバイダ１１２〜１１６からルックアップテーブルまたはリレーショナルデータベースのような一つ以上のデータ構造に集合させ、通信サーバ１３０および１４０からのそれぞれの存在データＰ１、Ｐ２、およびＰＮを、それぞれの財務データセットＦＤ１、ＦＤ２、およびＦＤＮとロジカルに関連させ、またはそうでない場合、集合させる。一部の実施形態は、ソース識別データＣ１、Ｃ２、およびＣＮに基づいて、通信サーバ１３０または１４０をクエリすることによって、存在データを引き出し、関連させる。本実施形態の一部の変形形態において、ソース識別データの種類または特定の性質に基づいて、プロバイダ１２０は、通信サーバ１３０および１４０のうちの一つのみをクエリする。しかしながら、他の変形形態において、プロバイダ１２０は、所定のクエリからの一つ以上の通信サーバを除外するための十分な情報を欠乏し得、従って、各々の通信サーバをクエリする。他の実施形態は、クライアントおよび／または一つ以上の通信サーバにおいて存在し得る、クライアントバディリストに基づくクライントレベルにおける存在データを集合させる。
【００２３】
その統合データベース１２１に追加して、統合財務データプロバイダ１２０は、ハイパーテキストマークアップ言語（ＨＴＭＬ）、拡張可能マークアップ言語（ＸＭＬ）、またはより一般に、対話式の制御機構（またはユーザインターフェース要素）との組み合わせのデータのような活動状態またはダイナミックな形におけるデータを供給するために、サーバ１２２のようなサーバの一つ以上を含む。サーバ１２２は、処理ユニット１２２１およびメモリ１２２２を含む。
【００２４】
一般に、一つ以上のローカル、または分配されたプロセッサ、仮想マシン、もしくは機能的に同様な他のデータ処理またはコンピュータ配列の代表である処理ユニット１２２１は、メモリ１２２２に結合される。
【００２５】
電子、磁気、または光コンピュータもしくはマシン読み取り可能媒体の形も取り得るメモリ１２２２は、加入者データベース１２２２Ａ、一つ以上のサーチエンジン１２２２Ｂ、ならびにブラウザコンパチブルユーザインターフェース要素（ＵＩＥ）１２２２Ｃのような他のモジュールおよびソフトウェアを含む。ＵＩＥ１２２２Ｃは、一つ以上のＪａｖａ（登録商標）スクリプト、アプレット、サーブレット、ＣＧＩ（コモンゲートウェイインターフェース）プログラム、スクリプト、ＡｃｔｉｖｅＸ制御、リモートインボケーションオブジェクト、もしくは所望された対話式ユーザインターフェース特徴、オブジェクト、モジュール、または要素に関連するデータを、様々な「層（ｔｈｉｃｋｎｅｓｓｅｓ）」のクライアントに供給するための他の関連するソフトウェアおよびデータ構造を含む。ＵＩＥ１２２２Ｃの一つ以上の部分は、クライアントにおけるブラウザ型ユーザインターフェースの一つ以上の部分を定義するためにクライアントプロセッサ、オペレーティングシステム、または他の関連する構成要素と結合して作用する（一部の実施形態において、サーバ１２２は、統合データベース１２１のデータにアクセスおよび相互作用するために、クライアント装置によって使用されるブラウザまたは他のアクセスソフトウェアをホストし、他の実施形態において、サーバは、クライアント側の実行のためにクライアントにアクセスソフトウェアをダウンロードする）。
【００２６】
通信サーバ１３０および１４０は、二つの独立なインスタントメッセージングシステムまたはネットワークのためにインスタントメッセージング通信サービスを提供する。（一部の実施形態において、一つ以上の通信サーバは、インスタントメッセージング以外の他の形の通信、例えば、音声またはｅメール通信を、容易にする。一部の実施形態において、一つ以上のサーバ１３０および１４０は、ＡＯＬＴＭインスタントメッセージングサーバ、ＭｉｃｒｏｓｏｆｔＴＭライブ通信サーバ、または他のパブリックまたはプライベートなインスタントメッセージングサーバの形を取る。更に、一部の実施形態において、一つ以上の通信サーバは、統合財務データプロバイダ（またはデータセンタ）１２０の一部である。
【００２７】
一つ以上のプロセッサ、メモリ装置および他の形のハードウェア、ファームウェア、およびソフトウェア（図に別々に示されず）に追加して、サーバ１３０および１４０は、ぞれぞれの存在データベース１３２および１４２を含み、それぞれのアクセス装置１３４および１４４に結合される。例示的な実施形態において、存在データの各セットは、少なくとも一つのインスタントメッセージングシステムのユーザのために識別子またはエイリアスのリストを含み、各々のエイリアスは、ＩＭ可能装置のための現在のＩＰアドレスにロジカルに関連する。一部の実施形態は、誰または何が存在にアクセスできるか、存在はいつアクセスされ得るか、どのような種類の存在がアクセスされ得るか（活動状態、アイドル状態、または非活動状態）、およびどのような種類の装置または装置の属性が任意の存在情報に含まれているかに関して、各々のエイリアスを、バディリストおよびユーザの選択に関連させる。存在データは、アクセス装置１３４および１４４のようなアクセス装置によってアクセス可能である。
【００２８】
パーソナルコンピュータ、ワークステーション、パーソナルデジタルアシスタント、携帯電話、または任意の他のネットワーク通信装置の形も取り得るアクセス装置１３４および１４４は、インスタントメッセージングソフトウェア１３４１および１４４１のそれぞれの種類を含む。このソフトウェアは、アクセス装置が、それらの存在データおよび状態を登録し、それぞれのサーバ１３０および１４０（および／または他のアクセス装置）に存在データおよび状態をアップデートすることが可能なだけではなく、インスタントメッセージングまたは他の形のライブまたはリアルタイム、および一部の場合においてリアルタイムではない（例えば、ｅメール）通信を介してアクセス装置１５０との通信も可能にする。
【００２９】
アクセス装置１５０は、統合データベース１２０に通信的に結合されるか、結合可能なだけではなく、一般に、一つ以上のアクセス装置の代表でもある。例示的な実施形態において、アクセス装置１５０は、パーソナルコンピュータ、ワークステーション、パーソナルデジタルアシスタント、携帯電話、または適したユーザインターフェースおよび通信能力を有す任意の他の装置の形を取る。（一部の実施形態において、アクセス装置１３４および１４４は、アクセス装置１５０と同等または類似の構造を有する。）。
【００３０】
一つ以上のプロセッサ（または処理回路）１５１およびメモリ装置（または回路）１５２に追加して、アクセス装置１５０は、ディスプレイ１５３、キーボード１５４、グラフィックなポインタまたはセレクタ（マウス）１５５、グラフィックユーザインターフェース１５６、一つ以上のアプリケーションプログラムインターフェース１５７、および通信モジュール１５８を含む。
【００３１】
メモリ１５２においてコード化された命令およびデータとして存在し、ディスプレイ１５５において全体または部分的に表示されるかまたは表示可能なグラフィッカルユーザインターフェース１５６は、代表的な表示領域１５６１および１５６２のような一つ以上のデータ表示領域を含む。表示領域１５６１および１５６２は、財務データセットＦＤ１およびＦＤ２の一つ以上の部分をテキスト、画像、記号、または他の意味表示形式として表示するたけではなく、存在インジケータ１５６１Ｐおよび１５６２Ｐならびに対話式制御機構（ユーザインターフェース要素またはウィジェット）１５６１Ｗおよび１５６２Ｗを表示または提供するためにも、メモリにそれぞれ定義される。例示的な実施形態において、表示領域および制御機構は、サーバ１２２によって全体的または部分的に定義され、詳細には、クライアントオペレーティングシステムまたはブラウザソフトウェアと協力して作用するサーバ１２２のＵＩＥ１２２２Ｃによって定義される。
【００３２】
より詳細には、存在インジケータ１５６１Ｐおよび１５６２Ｐは、財務データセットＦＤ１およびＦＤ２のためのソース識別データに関連するそれぞれのエンティティが、通信サーバ１３０または通信サーバ１４０によって供給される通信ネットワークにおいて存在することがみなされるかを示す。例示的な実施形態において、各々の存在インジケータは、アイコンの形を該当するインスタントメッセージングまたは代替の通信システムと仮定する。例えば、財務データセットＦＤ１に関連するエンティティが、ＡＯＬまたはＭｉｃｒｏｓｏｆｔインスタントメッセージングシステムに関連する場合、ＡＯＬまたはマイクロソフトの認可されたまたは許可されたアイコンは、現在の存在を示すためにフルカラー、ハイライト、および／または点滅の形、もしくは存在しないことを示すためにミュートまたは「グレイアウト」の形において、表示され得る。
【００３３】
一部の実施形態は、関連するエンティティが存在しないことを示すためにアイコンの表示を完全に省略する。他の実施形態は、存在または非存在に対するユーザ識別を容易にするために、財務データ自体の色またはフォントを点滅、ハイライト、下線、または別の態様で、区別する。更に、他の実施形態は、ウィンドウの別々の部分にグルーピングまたは表示することによって肯定存在を有すデータセットを示し、もしくは提示されているもののみを示すオプションを呼び出すためにユーザにオプションを提供する。更に、他の実施形態は依然として、ソートされる、またはそうでない場合、存在データに基づいて編成されるために、例えば、関心事の表示のような、財務データを許可する制御機構を提供する。
【００３４】
一部の実施形態は、一つのインスタントメッセージングシステム（より一般に、通信システム）がもう一つの前記システムを通じて、優先的な処置を与え得る。例えば、一実施形態は、一つのインスタントメッセージングシステムのための存在インジケータを表示し得、両方のための情報がシステムであり得、ここで、両方のための情報がシステムにおいて利用可能である、もう一つのシステムの存在インジケータを省略する。選択は、ユーザが示す選択またはデータプロバイダとインスタントメッセージングシステムとの間における同意に基づき得る。
【００３５】
通信システムの選択は、多くの方法において明らかになる。一つの方法は、一つ以上の好ましいインスタントメッセージングシステムのための特定のアイコンを使用すること、および、全ての他のインスタントメッセージシステムのための一般的なアイコンを使用することである。ＩＭ選択を示す他の方法は、異なる相対的なサイズ、または点滅技術を用いて、一つ以上の好ましいＩＭシステムのアイコンを視覚的にハイライトさせること、あるいは、他のものに関連する一部のＩＭシステムと通信するＩＭを呼び出すプロセスを意図的に加速させることを含む。他のものを介した一つ以上のＩＭシステム（または、より一般的には、通信システム）のための選択を提供することは、その財務データシステムに対する所有者に、通信プロバイダからの収入または経済的価値の権益を得ることを可能にする。
【００３６】
対話式制御機構１５６１Ｗおよび１５６２Ｗは、ユーザコマンドを受信するか、または、それらの個々の財務データセットまたは他のデータの追加的な関連する部分をユーザに提供するために、ディスプレイ領域の一つ以上の部分に関連される。例示的な実施形態において、制御特性１５６１Ｗおよび１５６２Ｗは、個々の存在インジケータ１５６１Ｐおよび１５６２Ｐに関連し、ユーザ制御のグラフィックポインタまたは他のインターフェース機器を介して、独立に、または一緒に、選択可能である。それにより、プロセッサ１５１を、アプリケーションプログラムインターフェース１５７の一つ以上に対して、対応するディスプレイ領域の一つ以上と関連する、情報またはコマンド信号と通信するように呼び起こすか、通信させる。
【００３７】
アプリケーションプログラムインターフェース１５７は、選択された対話式制御機構の一つ以上と関連する情報を受信し、通信モジュール１５８内の通信アプリケーションまたはプログラムの一つ以上を用いて、この受信された情報に応答して通信するための、少なくとも一つのインターフェースを含む。（例示的な実施形態において、この通信は、一つ以上の通信モジュール１５８に、ディスプレイ領域に関連するデータ、および、以下で記載される他の機能に基づいて、インスタントメッセージングまたは他形式の通信ウィンドウを開かせることを必然的に伴う。）。
【００３８】
通信モジュール（プログラムまたはアプリケーション）１５８は、二つ以上のメッセージングまたは外部通信システム（例えば、インスタントメッセージングソフトウェアＩＭ１およびＩＭ２、ならびに、関連する友達（Ｂｕｄｄｙ）リストＢＬ１およびＢＬ２など）のための通信ソフトウェアを含む。（友達リストは、一つ以上の通信サーバ１３０および１４０に格納され得る。）例示的な実施形態において、それぞれのインスタントメッセージングソフトウェアは、インスタントメッセージを起動、編集、送信および受信するだけでなく、友達リストおよび関連するユーザ選択を確立、維持、および更新することを容易にする。一部の実施形態は、さもなければ、二つ以上の互換性のないインスタントメッセージングまたは通信サービスと互換性のある、単一のインスタントメッセージングアプリケーションを提供し得る。さらに他の実施形態は、単一のシステム通信モジュールとマルチシステム通信モジュールとの組み合わせを含み得る。
【００３９】
（動作の例示的な方法）
図２は、オペレーティングシステム１００の一つ以上の例示的な方法のフローチャート２００を示す。フローチャート２００はブロック２１０〜２７０を含み、それらは、例示的な実施形態における連続した実行シーケンスにおいて配置および記載される。しかしながら、他の実施形態は、複数のプロセッサまたはプロセッサのようなデバイス、あるいは二つ以上の仮想マシンまたはサブプロセッサとして構成された単一のプロセッサを用いて、平行して、二つ以上のブロックを実行する。他の実施形態はまた、類似した結果を達成するために、プロセスシーケンスを変更するか、異なる機能区分を提供する。さらに、さらなる他の実施形態は、モジュール間において、およびモジュールを介して通信された、関連する制御およびデータ信号を用いた二つ以上の相互接続されたハードウェアモジュールとして、ブロックをインプリメントする。従って、例示的なプロセスフローは、ソフトウェア、ハードウェア、および、ファームウェアインプリメンテーションに適用する。
【００４０】
例示的な方法は、ブロック２１０において、ユーザが、統合データベース１２０へのアクセス機器（例えば、アクセス機器１５０）の伝達結合を開始することで、始まる。この例示的な実施形態では、これは、ユーザが、統合データベース１２０に対するウェブサーバに対する機器１５０上のブラウザまたは別のアクセスソフトウェアを指示し、次いで、適切なユーザ名、パスワードおよび／または別の認証手法を用いて統合データベース１２０にログインすることを伴う。実行はブロック２２０において継続される。
【００４１】
ブロック２２０において、ユーザインターフェース１５６と対話しつつ、ユーザは、特定の経済手段または経済エンティティに関連するデータを見るという希望を指示する。例示的な実施形態において、これは、ユーザが、マウス、キーボード、または他のインターフェース機器を使用して、メニューからストックチッカ・シンボルを選択することによって、あるいは、特定の会社名に関連するシンボルのキーを押すか、特定のアイコンを選択することによって、クエリを送信することを必然的に伴う。一部の実施形態において、ユーザは、特定の会社または経済手段の監視リストを維持し、それらのエンティティまたは手段に関連する、統合としてのデータは、ログイン後、統合としてのデータベースからアクセス機器に、自動的に、または選択的に、通信される。次いでユーザは、監視リストの特定の部分に焦点を当てるために、インターフェース選択を有する。このように、データベース１２０からのコンテンツは、クエリに従って、アクセス機器１５０に「プル（ｐｕｌｌ）」され、ログインまたは他のイベントに従って、「プッシュ（ｐｕｓｈ）」される。実行はブロック２３０において継続される。
【００４２】
ブロック２３０は、要求されたデータを、統合された存在指示および／または対話式通信制御機構に提供する。例示的な実施形態において、これは、ユーザクエリに基づいて、アクセス機器１５０に一つ以上の財務データセットを通信する、統合としてのデータベース１２０を必然的に伴う。一つ以上の対応する存在データセットＰ１、Ｐ２、ＰＮと共に、二つ以上のデータセットＦＤ１、ＦＤ２、ＦＤＮの統合を含むデータは、次いで、ディスプレイ１５３およびグラフィカルユーザインターフェース１５６を介して、ユーザに提示される。
【００４３】
一部の実施形態において、統合のデータベースは、存在データを含まないことがあり得るか、陳腐化した存在データを含み得る。そのような実施形態において、関連するソフトウェアモジュール、例えば、アプリケーションプログラムインターフェース（ＡＰＩ）１５７の一つ以上は、ソース識別情報に基づいて、統合としてのデータベース１２０から財務データセットの一つ以上に関連する存在情報を得るために、通信モジュール１５８と直接に、または通信モジュールを介して、通信サーバ１３０および１４０の一つ以上をクエリし得る。
【００４４】
他の実施形態はまた、アクセス機器内、または、関連する通信サーバなどの外部データベース内にて、関連する存在情報のためのソース識別情報に基づいて、ＢＬ１またはＢＬ２などのような、既存の個人的な友達リストをクエリし得る。さらなる他の実施形態は、通信サーバの一つ以上における一般的な（マルチユーザまたは集合）の友達リストをクエリし得、表示された財務データセットの一つ以上に関連する存在情報を決定する。（一部の実施形態において、ユーザは、存在インジケータを提供し易いように、友達リストにおけるそれらのコンタクトの一つ以上を、財務データプロバイダの一つ以上に関連付けることができる。）実行はブロック２４０において継続される。
【００４５】
ブロック２４０は、表示される財務データセットの一つ以上に関連されるエンティティを用いて、通信セッションを開始する。例示的な実施形態において、これは、制御特性１５６１Ｗまたは１５６２Ｗなどのような、対話式制御機構またはユーザインターフェース要素をユーザが選択または作動させることに応答して生じ、制御特性は、表示されたデータの一部に関連付けられる。応答において、グラフィカルユーザインターフェースは、アプリケーションプログラム・インターフェース１５７の一つ以上を介して、通信モジュール１５８などの、適切な通信モジュールと通信する。（一部の実施形態は、一つ以上の他のアプリケーションプログラム・インターフェースのどれが、作動された制御特性にさらに応答するかを決定するＡＰＩのルート設定を含み得る。）実行は次いで、ブロック２５０において継続される。
【００４６】
ブロック２５０において、通信モジュールの一つ以上（または、モジュールの一つ以上の制御の下でのプロセッサ動作）は、一つ以上の通信ダイアログウィンドウを自動的に開く。例示的な実施形態において、ダイアログウィンドウを開くことは、財務データセットの一つ以上の所定の部分を用いて、ウィンドウの一つ以上の領域を自動的に置くことを含む。例えば、選択されたコマンド特性が、特定の株、社債、取引き商品、または他の経済手段のための関心の指示に関連される実施形態においては、通信ウィンドウは、関心の指示のテキスト、および、その指示に関連するエンティティのためのインスタントメッセージングアドレスをも含む。
【００４７】
一部の実施形態は、ユーザがグラフィカルユーザインターフェース１５６内のデータセットの二つ以上を選択することによって、二つ以上の通信ウィンドウを自動的に開くことおよび設置することを可能にし得る。この特性は、例えば、オンラインオークション、またはマルチパーティの収益報告のためのプライベートチャットルームを確立するために有用であり得る。また、一部の実施形態においては、通信ウィンドウは、ｅメールアプリケーション、ネットワークビデオ、または音声会議に関連する。この特性は、一部の実施形態において、別個の通信モジュール（例えば、二つの異なるインスタントメッセージングアプリケーションまたは音声通信アプリケーション）のために通信ウィンドウを開くことを容易にし得る。実行はブロック２６０に進む。
【００４８】
ブロック２６０において、ユーザはメッセージを完成する。例示的な実施形態において、メッセージの完成は、カットアンドペーストまたは他のテキスト入力方法を使用して、追加的なテキストまたはデータをメッセージウィンドウに編集および／または追加することを必然的に伴う。しかしながら、他の実施形態は、ファンクションキー、ホットキー、マクロ、ポインタなどの助けを用いた構成のもとで、メッセージに追加され得る、特定のユーザまたは管理者規定のテキストメニューまたはアイコンのセットを提供する。
【００４９】
例えば、一部の実施形態は、「エモティコン」に類似する一つ以上のアイコンのセットを提供し、それは、特定の情報を搬送し、グラフィカルポインタを用いた選択によって追加され得る。他の実施形態は、特定の文字またはテキスト列に関連する所定の文字列を認識し、通信ウィンドウにおけるそれらの入力を検出する場合に、ユーザのキー打ちを節約するために、ウィンドウ内において文字またはテキスト列を完全にする、特定の自動編集性能を提供する。さらに別の実施形態では、ユーザが、グラフィカルポインタを用いてメッセージウィンドウにアイコンをドラッグアンドドロップすることを可能にし、そのアイコンは、通信ウィンドウ内の対応の管理者規定またはユーザ規定のテキストにデコードされる。
【００５０】
ブロック２７０において、通信モジュールの一つ以上は、メッセージを一人以上の受け取り人に送信する。例示的な実施形態において、これは、ユーザが通信ウィンドウ上の送信ボタンを選択することに応答して生じる。一部の実施形態において、しかしながら、メッセージは、所定の終わりのテキストまたは署名アイコンの挿入に応答して送信され、自動送信トリガとともに、ユーザまたは管理者規定の終わりの署名を含む。このように、このアイコンを挿入することにより、結果として、メッセージの自動送信が得られる。一部の実施形態は、スクリーニングまたはフィルタリング機能を含み、ユーザが所望されない、または不適切なメッセージを送信するリスクを低減する。これらのフィルタは、取り下げ（ｒｅｔｒａｃｔ）が難しい、または、送信者または他のリスクに関連する閾値の、一部の取引きの量または値の限界を超過するタイプの通信の提供または許可に対してトリガされ得る。
【００５１】
一部の実施形態は、グラフィックユーザインターフェース１５６上の一つ以上の対話式制御機構（またはユーザインターフェース要素）を提供し、それは、選択または実施において、所定のテキストに基づいて、ブロック２４０、２５０、２６０、および２７０の自動的な実行を生じる。例えば、一つの制御機構は、コンタクトに対する通信モジュールを介して、「これは確約提供ですか」などの、ルーチンな質問を自動的に送信し得る。別の制御機構は、標準の注文実行の言葉を自動的に送信し得る。これらの実施形態の一部の変形は、誤った、または認証されていない通信のリスクを軽減するためのフィルタを含み得る。
【００５２】
また、一部の実施形態において、ブロック２５０は、インスタントメッセージングウィンドウに付け加えて、または代替的に、ｅメールアプリケーション、あるいは音声会議または音声映像会議のための通信ウィンドウを開くことを必然的に伴い、そのウィンドウは、インスタントメッセージングアドレスよりも、関連するｅメール、電話番号、またはＶｏＩＰアドレスに置かれる。
【００５３】
（例示的なグラフィカルユーザインターフェース）
図３は、上記のシステムおよび方法の一部の実施形態を用いて使用される例示的なグラフィカルユーザインターフェース３００を示す。特に、インターフェース３００は、対話式制御領域３１０、対話式財務データ領域３２０、通信ウィンドウ領域３３０、対話式財務データ領域３４０、および対話式財務データ領域３５０を含む。
【００５４】
対話式制御領域３１０は、シンボル入力領域３１２、データタイプ入力領域３１４、およびコマンド送信機構３１６を含む。シンボル入力領域３１２は、例えばＧＥ、Ｇｅｎｅｒａｌ  Ｅｌｅｃｔｒｉｃ  Ｃｏｍｐａｎｙのチッカーシンボルなど、株または他の金融証書（ｆｉｎａｎｃｉａｌ  ｉｎｓｔｒｕｍｅｎｔ）識別システムを受け入れる。一部の実施形態において、領域３１２は、プルダウンメニュー形式であり、全ての利用可能なチッカーシンボル、またはシンボルの所定のサブセット、例えば、最も最近使用されたもの、および／またはユーザ規定の監視リストからのものをリストアップする。データタイプ入力領域３１４は、Ｃｏｎｓｏｌｉｄａｔｅｄ  Ｒｅｃａｐなどのような、データタイプの記述子または名前を受け入れ、それは、ユーザが所望するデータのタイプおよび形式を示す。例示的な実施形態において、この領域は、プルダウンメニュー形式における多数の可能な選択を提供する。しかしながら、他の実施形態は、そのような選択を提示するために、他のユーザインターフェース特性を使用し得る。
【００５５】
コマンド送信機構３１６は、例えば、「ｇｏ」ボタンであるが、データプロバイダ１２０（または、より正確にはサーバ１２２）を統合するために、入力領域３１２および３１４からのデータの送信を呼び出すことが選択可能である。応答において、プロバイダは、入力領域３１４および３１６のコンテンツに関連する、対応するデータセットを用いて、対話式の財務データ領域３２０、３３０、および３４０を投入し、その内容の一つ以上は、上述の一つ以上の実施形態に記載しているように、統合された存在データおよび／または通信機能を提供する。
【００５６】
特に、対話式財務データ領域３２０は、一般の購入関心（ｂｕｙ−ｉｎｔｅｒｅｓｔ）部分３２２、一般の売却関心（ｓｅｌｌ−ｉｎｔｅｒｅｓｔ）部分３２４、詳細関心（ｄｅｔａｉｌｅｄ  ｉｎｔｅｒｅｓｔ）部分３２６を含み、それぞれが、関心および対応する存在インジケータの一つ以上の指示をリストアップする。例えば、詳細関心部分３２６は、指示リスト３２６１を含み、そのリストは関心データ３２６１Ｄ、存在インジケータ３２６１Ｐ、および対話式制御機構３２６１Ｃを含む。関心データ３２６１Ｄは、時間スタンプ（１：４０ＰＭ）、購入または売却側インジケータあるいはテキストフィールド（ＢまたはＳ）、サイズまた量インジケータあるいはテキストフィールド（１，０００，０００）、価格インジケータまたはテキストフィールド（２９．１６）、送信者識別子またはテキストフィールド（ＭＯＲ  ＳＴＡＮ）、コメントインジケータまたはテキストフィールド、および、質インジケータまたはテキストフィールドを含む。
【００５７】
存在インジケータ３２６１Ｐは、例えば、送信者テキストフィールド（ＭＯＲ  ＳＴＡＮ、Ｍｏｒｇａｎ  Ｓｔａｎｌｅｙの略）に関連したユーザの、管理者の、または送信者規定の取引相手などの指示リストに関連したコンタクトが、インスタントメッセージングまたは通信の他の形式に対して、現在利用可能であるかどうかを示す。存在インジケータ３２６１Ｐは、インターフェース１５６の記載において示されるように、任意の数の形式を取り得る。
【００５８】
対話式制御機構３２６１Ｃは、送信者テキストフィールドなどの、指示リスト３２６の任意の部分に関連し得るが、ウィンドウ３３０などの、インスタントメッセージング（または、通信ウィンドウの他の形式）を開くことが選択可能である。対話式制御機構３２６１Ｃは、存在インジケータ３２６１Ｐまたは指示リストの別の部分に関連するリンクまたはプルダウン通信メニューなどの、任意の数の形式を取り得る。プルダウンメニューは、一つ以上の存在するコンタクトをリストアップし得、ユーザが、インスタントメッセージング、または、音声または映像会議などの、代替的な通信形式のための一つ以上のもの（ｐａｒｔｙ）を選択することができる。
【００５９】
ウィンドウ３３０は、開くと、指示リストからデータを自動的に置き、その指示に関連するコンタクトに向けられる。示された例において、ウィンドウは、指示リストデータ３２６１Ｄに基づいた指示送信者Ｍｏｒｇａｎ  Ｓｔａｎｌｅｙおよび指示テキスト３３４を用いて、ユーザ、管理者、送信者、または他のエンティティによって関連付けられた友達リストコンタクトに基づいて、アドレス３３２（Ｃａｓｓａｎｄｒａ．ｃｈｅｗ＠ｔｆｎ．ｃｏｍ）を含む。
【００６０】
付け加えて、ウィンドウ３３０は、自動メッセージングアイコン３３６および３３８を含み、それらは、図２に関連して上述されたように、入力領域などのウィンドウ３３０の規定された部分の一部に作動またはドロップされ得、所定のテキストの自動挿入をさせるか、または、ウィンドウに作動またはドロップされ得、メッセージの自動挿入または自動送信の両方をさせる。一部の実施形態は、カーソルの「ロールオーバー」を感知した場合に、これらのアイコンの使用のためのメッセージおよび命令に関連されたメッセージのテキストを表示する。
【００６１】
対話式財務データ領域３４０は、入力領域３１４のコンテンツに関連された一つ以上のニュースまたはアナリストレポートをリストアップする。例えば、領域３４０は、レポートリスト３４２を含み、それは、存在インジケータ３４２Ｐ、関連の対話式制御機構３４２Ｃ、レポート記載３４２Ｄ、対話式制御機構３４２ＣＣを含む。存在インジケータ３４２Ｐは、著者、アナリスト、または、レポート記載に関連する他の者（ｐａｒｔｙ）が、対話式通信のために存在するかどうかを示す。制御特性３２６１Ｃに類似して、制御特性３４２Ｃは自動的に通信ウィンドウを開くように選択可能であり、その通信ウィンドウは、レポートリストまたは他の関連データの少なくとも一部が置かれる。一部の実施形態において、リストアップされたレポートへのハイパーリンクは、通信ウィンドウにおいて自動的に含まれる。レポート記載３４２Ｄは、タイトルなどの、関連するレポートの短い記載を提供する。そして、制御特性３４２ＣＣは、一部の実施形態においてはハイパーリンクの形式であるが、関連するレポートを含むドキュメントへのアクセスを可能にするように機能する。制御機構３４２Ｃおよび３４２ＣＣは、カーソルがディスプレイ上にて関連する要素を「ロールオーバー」するまで、一部の実施形態においては、不可視であり得る。
【００６２】
対話式財務データ領域３５０は、入力領域３１４のコンテンツに関連するマーケット実行データを含む。例示的な実施形態において、領域３５０は、マーケットの価格などの、時間経過のマーケット実行パラメータのグラフ３５２を含む。
【００６３】
図４は、３００’で示されるインターフェース３００の変形を示し、ウィンドウ３３０は、インスタントメッセージングアプリケーションよりもむしろ、ＭｉｃｒｏｓｏｆｔＴＭＯｆｆｉｃｅＴＭアプリケーションなどの、ｅメールアプリケーションに関連する。この例において、ウィンドウは、ウィンドウを開始するために使用される対話式制御機構に関連するデータに基づいたｅメールアドレスおよびテキストが自動的に置かれる。一部の実施形態において、ウィンドウ３３０のｅメールバージョンは、ユーザ選択に応答して表示され、対話式通信のために存在しない関連のコンタクトを有する財務データに関連する通信を開始する。
【００６４】
（結論）
技術の促進において、本発明の発明者は、インスタントメッセージングおよび他の形式のオンライン対話式通信が、多くの場合、不便であることを認識している。というのは、それらを起動するために使用されるインスタントメッセージングまたは他の通信プログラムは、例えば、それらに影響を与える財務データなどのデータから隔離されているからである。従って、その発明者は、例えば、データ表示への、存在および通信の起動などの、通信機能の一体化を、統合または容易にする、様々な例示的なシステム、方法、インターフェース、およびソフトウェアを工夫した。最終的に、これらまたは他の実施形態の一つ以上は、金融サービス業界における経済的な取引相手または他の者にとってだけでなく、迅速または便利なオンライン通信が所望される、任意のプライベート、パブリック、および商業領域におけるそれらにとっても、改良された効率およびオンライン対話の便利性を約束する。
【００６５】
上記の実施形態は、幅または範囲を限定するのではなく、本発明を作製および使用する一つ以上の方法を例示および教示するためのみが意図されている。本発明の実際の範囲は、本発明の教示を実施またはインプリメントする全ての方法を包含するが、一つ以上の問題となる請求の範囲およびそれらの均等物によってのみ規定される。
【図１】
2010061680.tif 000003
【図２】
2010061680.tif 000004
【図３】
2010061680.tif 000005
【図４】
2010061680.tif 000006